(57)【特許請求の範囲】
【請求項１】
上紙、下紙相互間に１枚または複数枚の中紙を挟持してなる複写式感圧記録紙の一辺を、綴合部により一括して綴じ合せ、前記綴合部に封筒部を分離可能に付設した封筒一体型複写帳票において、前記上紙、下紙に限り封緘設定領域を介して延長し前記綴合部側を除く三辺を接着して前記封筒部を形成し、前記封筒部の分離の際に、前記下紙に前記封緘設定領域と同幅に形成する封緘片が、前記封筒部側に残留するように前記下紙に封緘片形成用の第１のミシン目を形成し、前記上紙に前記第１のミシン目から前記封緘設定領域の幅分だけ前記封筒部側に位置をずらして封緘片形成用の第２のミシン目を形成するとともに、前記上紙、中紙には前記第１のミシン目と同位置に切取りミシン目を設けたことを特徴とする封筒一体型複写帳票。
【請求項２】
前記切取りミシン目および前記第１のミシン目の両脇沿いに、前記上紙、中紙相互間または前記上紙、中紙および下紙相互間を接着剤により仮止めしたことを特徴とする請求項１記載の封筒一体型複写帳票。
【請求項３】
前記第１、第２のミシン目の強度は、前記切取りミシン目よりも弱化させて切除を容易としたことを特徴とする請求項１または２記載の封筒一体型複写帳票。
【請求項４】
前記封緘片設定領域に両面接着テープを設けたことを特徴とする請求項１記載の封筒一体型複写帳票。
【請求項５】
前記封筒部を除いて、前記切取りミシン目および前記第１のミシン目設定部位を境に、前記上紙、中紙、下紙の上縁の長手方向沿いに設けた第２切取りミシン目によって余端部を形成したことを特徴とする請求項１記載の封筒一体型複写帳票。
【請求項６】
前記封筒部を除いて、前記上紙、中紙、下紙の上、下縁の長手方向沿いに設けた第３切取りミシン目によってそれぞれ余端部を形成したことを特徴とする請求項１または５記載の封筒一体型複写帳票。
【発明の詳細な説明】
【０００１】
【発明の属する技術分野】
本発明は、豊富な情報の提供と利便性に富んだ送信の両機能を発揮できるよう改良した、複写式の申込書用紙と封筒が一体になった封筒一体型複写帳票に関する。
【０００２】
【従来の技術】
従来、ミシン目を介して封筒に連設した説明用紙に複写式帳票を綴じ合せた申込書用紙が提案されていたが、説明用紙と複写式帳票の二種類の製品材料を綴じ合せる製造工程は煩雑で作業効率の面で問題があった。
また従来の申込書用紙の場合、申込者が記入をすませた後封筒の組み立てを手際よく実施しにくい点が指摘され、時には破損してしまい見栄えよく簡単にできない不都合があり、その不便さの解決が求められていた。
従来よりの提案として、特開平７−２３７３７４号公報（申込案内冊子）が認められる。
【０００３】
同提案の場合、申込用紙の大きさと異なる説明事項記載片と封筒であることから、不揃いとならぬよう整序するには、製作費が高価となるおそれが認められる。
従来より一般的に知られている先行技術においては、依然として封筒と申込書を同一用紙で作成できること、作業効率、経済性等製造面に影響を与えることになる大きさ、規格が不揃いではないこと、構造が複雑ではないことの諸条件をクリアしながら、豊富な情報を盛り込むことができ、申込者の立場からみて返信時に簡単な作業で申込書と封筒が確実に得られ、封書として作成できることという要請に対しては、未だ十分に満足するに至っておらず、それは技術的課題として未解決であった。
【０００４】
【発明が解決しようとする課題】
本発明は、上記問題の解決をはかるため、製造上、封筒と申込書用紙のごとき複写式の帳票を同一用紙を使用して容易に実施でき、申込者は申込書を通じ提供された豊富な情報を理解し納得した上で、申込書に必要事項を記入後、予め連設している封筒を切り離しそれに収めて簡単に封書を作成できる封筒一体型複写帳票の提供を目的とするものである。
【０００５】
【課題を解決するための手段】
上記目的を達成するための本発明に係る封筒一体型複写帳票は、上紙、下紙相互間に１枚または複数枚の中紙を挟持してなる複写式感圧記録紙の一辺を、綴合部により一括して綴じ合せ、前記綴合部に封筒部を分離可能に付設した封筒一体型複写帳票において、前記上紙、下紙に限り封緘設定領域を介して延長し前記綴合部側を除く三辺を接着して前記封筒部を形成し、前記封筒部の分離の際に、前記下紙に前記封緘設定領域と同幅に形成する封緘片が、前記封筒部側に残留するように前記下紙に封緘片形成用の第１のミシン目を形成し、前記上紙に前記第１のミシン目から前記封緘設定領域の幅分だけ前記封筒部側に位置をずらして封緘片形成用の第２のミシン目を形成するとともに、前記上紙、中紙には前記第１のミシン目と同位置に切取りミシン目を設けたことを特徴とする。
【０００６】
前記同位置に設定した上紙、中紙の切取りミシン目並びに前記下紙の封緘片形成用のミシン目の両脇沿いに、前記上紙、中紙相互間または前記上紙、中紙および下紙相互間を接着剤にて仮止めすることもよい。
【０００７】
前記上紙、下紙の封緘片形成用のミシン目の強度について、前記上紙、中紙の切取りミシン目と比較し弱化させて切除を容易とすることも好ましい。
【０００８】
前記封緘片設定領域に両面接着テープを設けることもよい。
【０００９】
前記封筒部を除いて、前記上紙、中紙の切取りミシン目並びに前記下紙の封緘片形成用のミシン目設定部位を境に、前記上紙、中紙、下紙の上縁の長手方向沿いに設けた切取りミシン目によって余端部を形成することもよい。
【００１０】
更に、前記余端部の設定位置に代えて、前記上紙、中紙、下紙の上、下縁の長手方向沿いに設けた切取りミシン目によってそれぞれ余端部を形成することも好ましいことである。
【００１１】
【発明の実施の形態】
以下に、本発明の封筒一体型複写帳票について、その最良の結果をもたらす実施の形態を図面に従い説明すると、図１は上紙の一部を切欠いた状態を示す説明図、図２は下紙の背面図、図３は申込書用紙と封筒との分離および封入要領を示す説明図、図４は封筒より申込書用紙を切り離す途上を示す図１の拡大指示部分である要部説明図、図５は図４Ｖ−Ｖ線に相当する部位であって申込書用紙と封筒との連設状態を示す説明図、図６は申込書用紙と封筒を切り離した状態を示す説明図、図７は申込書用紙より封緘設定領域の部分を切除した状態を示す説明図、図８は申込書作成状態を示す説明図、図９は作成済の申込書を封筒に収める状態の説明図である。
【００１２】
本発明の帳票としての申込書用紙Ｒは、既知の感圧複写紙を採用するものであり、それはノーカーボン紙とも称され、カーボン紙の発色には化学的なものと物理的なものがあるが、前者の採用が望ましく、それは現に実用化されているゼラチンカプセル型、サランカプセル型またはポリユレアカプセル型の感圧複写紙のいずれでもよい。
従って、本発明は、筆圧によって、隔離された２つの無色の薬品が接触したときに発色する化学反応を利用する化学的複写法による感圧複写紙の利点を応用するものである。
【００１３】
図面上、申込書用紙Ｒは、上紙１、中紙２Ａ，２Ｂおよび下紙３からなり、前記上紙１、下紙３相互間に介在する中紙２Ａ，２Ｂは必要により１枚または２枚以上の適宜枚数が選択される。順次に重ね合わされた上紙１、中紙２Ａ，２Ｂ、下紙３の各一辺２１，２２Ａ，２２Ｂ，２３（図５では切取りミシン目９Ａの申込書用紙Ｒ寄り）に沿って、それら相互を接着剤１１Ａによりいわゆる線糊として剥離可能に貼り合せて、いわゆる仮止めしてある。
１１Ｂは接着剤１１Ａと同様の接着剤（線糊）であり、上紙１と中紙２Ａ、中紙２Ａ，２Ｂの各一辺２１，２２Ａ，２２Ｂ（図５では切取りミシン目９Ａの封筒Ｅ寄り）に沿って、それら相互間を貼り合せ仮止めしてある。
本発明の説明に際し、接着剤１１Ａ，１１Ｂの仮止めによる綴じ合せを綴合部Ｇと呼称している。
上紙１、下紙３は、それらをともに延長して前記一辺２１，２３側を除く三辺２４Ａ，２４Ｂ，２５Ａ，２５Ｂ，２６Ａ，２６Ｂを接着剤１１Ｃにより接着して封筒Ｅを形成する。
４Ａは封筒表面部、４Ｂは封筒背面部、５は宛名記事部、６は発信人記事部である。
【００１４】
前記した封筒Ｅの大きさは、図１および２のとおり、郵便法規に準拠した定型封筒とすることが、郵便料金、製作費等の面で経済的である。
なお、中紙２Ａ，２Ｂ、下紙３には、感圧複写紙（ノーカーボン紙）の代わりに複写部分のみに顕色剤層を設けた普通紙を用いることもできる。
Ｍは拡大指示部分である。
前記した本発明の申込書用紙Ｒの構成に関しては、横長にして用いる場合について図示し、それを基づいて説明しているが、それに限定されるものではなく、縦長にして用いることも可能である。
図面上、９Ｂは申込書用紙Ｒを申込書１２と説明事項欄等に供される余端部１０とを区分する切取りミシン目であり、上紙１、中紙２Ａ，２Ｂ、下紙３の同一位置に設けてある。
【００１５】
本発明での申込書用紙Ｒの概念としては、金融、証券、通信販売、出版等広義のサービス分野で使用される場合を包含し、従って図面上「申込書１２」として例示した該用語に拘束されず、契約書、確認書、注文書、照会書、合意書等多岐にわたって転用可能なものである。
また法律行為を対象とする文書だけでなく、儀礼的文書であってもよく、送り状とその控にも利用でき、封筒には送り状を添えた証券（図書券、文具券、米・ビール券等）を封入する場合も予定でき、例えば祝儀、不祝儀の挨拶文書（快気祝、香典返し）にも利用できる。
【００１６】
７Ａ，７Ｂは申込書用紙Ｒと封筒Ｅ相互間に介在する上紙１、下紙３にそれぞれ形成せる封緘設定領域である。
Ｓは申込書用紙Ｒと封筒Ｅとを切り離した場合に形成される封緘片である。
図面上、下紙３表面の封緘設定領域７Ｂには両面接着テープＴを設けた場合を例示してあり、８Ａは剥離紙、８Ｂは粘着剤を示す。
ここで言う両面接着テープとは、既知の一般紙粘着テープ、すなわち和紙、クラフト紙、ラテックス含浸クレープ紙を基材とした粘着テープを指す。
前記切取りミシン目９Ａの切れ目は上紙１、中紙２Ａ，２Ｂにまで達している。１０は余端部であり、１０Ａは下紙３の前記切取りミシン目９Ａと対応する位置に設けた封緘片形成用のミシン目であり、１０Ｂは封緘設定領域７Ａを介在し切取りミシン目９Ａの反対側に設けた封緘片形成用のミシン目である。
【００１７】
本発明の構成上、封緘設定領域７Ａ，７Ｂを介し、上紙１、下紙３にそれぞれ封緘片形成用のミシン目１０Ａ，１０Ｂを対設してあるので、申込書用紙Ｒと封筒Ｅとを切り離すためにそれぞれを引っ張れば、両面接着テープＴを具備する封緘片Ｓが顕出することになる。
従って、剥離紙８Ａを除去すると粘着剤８Ｂが顕出するので、封緘片Ｓを利用して封筒Ｅを封着する。
【００１８】
本発明の場合、上紙１、中紙２Ａ，２Ｂの各一辺２１，２２Ａ，２２Ｂに接着剤１１Ｂを塗着してあるので、それら各用紙が離ればなれになるのを防ぐとともに、前記接着剤１１Ａとの相乗効果により、前記切り離し時に切取りミシン目９Ａでの破断から一層確実に保守できるものである。
更には、本発明の実施に際し、封緘片形成用のミシン目１０Ａ，１０Ｂのミシン目間隔を、切取りミシン目９Ａのそれよりも弱化させて切除を容易として、ミシン目の強度差を与えることが好ましく、そのように設定することによって、前記申込書用紙Ｒと封筒Ｅとの切除、すなわち切り離しに際し、切取りミシン目９Ａの予期しない破断を未然に防ぎ、円滑に前記切り離しをもたらすことができる。
【００１９】
他の実施例としては図示を省略したが、前記余端部１０を形成する前記切取りミシン目９Ｂに代えて、上紙１、中紙２Ａ，２Ｂ、下紙３の上、下縁の長手方向沿いの同一位置に余端部を対称的に形成する切取りミシン目を併設することもよい。
また、更に他の実施例として、図示を省略したが、前記両面接着テープＴに代えて、既知の接着剤転写テープを採用することもよく、それは剥離紙上に粘着剤層のみを塗布した構成であって、該テープを被着面に貼付して剥離紙を除去すれば均一な粘着剤層が残るもので、基材のない両面粘着テープである。
【００２０】
本発明の構成上、封緘設定領域７Ｂには、申込者において適宜に手許にある糊料、接着剤の使用を想定して封緘用前処理（糊加工）を省略することも差し支えない。
なお、前記余端部１０は、切取りミシン目９Ｂにより申込書１２作成時に切除されるが、余端部１０には例えば申込書１２作成時の注意事項や広告文字、図様等を印設することも可能である。
【００２１】
本発明の使用要領としては、図１、３ないし９に示すように、申込者において、余端部１０の申込書１２作成時の注意事項あるいは加入勧奨記事等を理解した後、申込書１２上面より所定記事欄（図示せず）に申込必要記事を筆記具にて適度の筆圧をもって記入後、引続きまず封緘片形成用のミシン目１０Ａ，１０Ｂにより封筒Ｅを分離し、切取りミシン目９Ｂにより余端部１０を切除し、申込書１２を得る。
かくしてから、まず、封緘設定領域７Ａを切取りミシン目９Ａにより切除し、第２頁以下に相当する中紙２Ａ，２Ｂ、下紙３は申込者の控とするなり、あるいは申込書１２Ａの形式いかんによっては前記第２頁とともに、第１頁の上紙１に相当する申込書正本を封筒Ｅに収める（図９）。
次いで剥離紙８Ａを引き剥がして粘着剤８Ｂの顕出した封緘設定領域７Ｂを封緘片Ｓとして封筒Ｅを封着する。
【００２２】
【発明の効果】
以上のとおりの構成を有する本発明によれば、以下の効果をもたらすものである。
すなわち、請求項１の本発明によれば、感圧複写紙を採用した申込書用紙および返信用に供される封筒が一体化しているので、申込書作成から封筒へ封入するまでの一連の作業が手順よく行える。
また感圧複写紙を採用したことにより、申込書の形式いかんにより、申込者の申込内容が正確に控書類としても確保できる。そして、古くからの着色したカーボン紙（カーボンブラック、着色顔料、染料等の色材とワックス、レジン等のバインダー材との混練物を薄紙に含浸させたもの）と比較して、使用前後の前記カーボン紙の挿入、抜取り、更には公害問題が懸念される処分等の煩わしい手間を省くことになる。
【００２３】
請求項２の本発明は、重ね合せて同位置に設定されている上紙、中紙の切取りミシン目並びに前記下紙の封緘片形成用のミシン目の両脇沿いには、前記上紙、中紙相互間または前記、上紙、中紙および下紙相互間を接着剤にて仮止めすることによって、複写記入時に記載内容が項目欄にかかること、あるいは欄外に及ぶことがなく正確な記入が容易に行われる。
【００２４】
請求項３の本発明は、前記上紙、下紙の封緘片形成用のミシン目の強度を前記上紙、中紙の切取りミシン目と比較して弱化させることによって、常に正しく申込書用紙と封筒の切り離しができる。
【００２５】
請求項４の本発明は、両面接着テープの剥離紙を除去するのみで、特別に糊料を用意しなくとも直ちに封緘できる効用が加わったものである。
【００２６】
また本発明、請求項５および６の余端部は、申込書用紙に豊富な情報を掲載するスペースを有し、申込者が理解を深めるために必要な申込条件、注意事項等をきめこまかく提供できる。
特に専用機械を新たに導入することを要しない簡易な構成であることから、前記申込書用紙と封筒の一体化は製造コストの低減に寄与する。
しかも上紙、中紙および下紙による申込書用紙、封筒は軽量化をもたらし、郵料の高騰を避けられ商品管理上有益である。
加えて、本発明は、金融、証券、出版、通信販売その他のサービス分野において企画、提案用ツールとして使用できる。
【図面の簡単な説明】
【図１】上紙の一部を切欠いた状態を示す説明図
【図２】下紙の背面図
【図３】申込書用紙と封筒との分離および封入要領を示す説明図
【図４】封筒より申込書用紙を切り離す途上を示す図１の拡大指示部分である要部説明図
【図５】図４Ｖ−Ｖ線に相当する部位であって申込書用紙と封筒との連設状態を示す説明図
【図６】申込書用紙と封筒を切り離した状態を示す説明図
【図７】申込書用紙より封緘設定領域の部分を切除した状態を示す説明図
【図８】申込書作成状態を示す説明図
【図９】作成済の申込書を封筒に収める状態の説明図
【符号の説明】
Ｒ    申込書用紙
Ｅ    封筒
Ｇ    綴合部
Ｍ    拡大指示部分
Ｓ    封緘片
Ｔ    両面接着テープ
１    上紙
２Ａ，２Ｂ    中紙
３    下紙
２１，２３    上紙、下紙の一辺
２２Ａ，２２Ｂ    二枚構成の中紙の各一辺
２４Ａ，２４Ｂ，２５Ａ，２５Ｂ，２６Ａ，２６Ｂ    上紙、下紙を延長し形成する他の三辺
７Ａ，７Ｂ    封緘設定領域
８Ａ    剥離紙
８Ｂ    粘着剤
９Ａ，９Ｂ    切取りミシン目
１０    余端部
１０Ａ，１０Ｂ    封緘片形成用のミシン目
１１Ａ，１１Ｂ，１１Ｃ    接着剤（線糊）
１２    申込書
４Ａ    封筒表面部
４Ｂ    封筒背面部
５    宛名記事部
６    発信人記事部
【図１】
0003856907.tif 000002
【図２】
0003856907.tif 000003
【図３】
0003856907.tif 000004
【図４】
0003856907.tif 000005
【図５】
0003856907.tif 000006
【図６】
0003856907.tif 000007
【図７】
0003856907.tif 000008
【図８】
0003856907.tif 000009
【図９】
0003856907.tif 000010